(57)【要約】  概要  魚の卵、特にサケ（Ｓａｌｍｏｎ）の魚卵を収穫するプロセスが提供される。当該プロセスは、水環境で性的に未成熟なサケを段階的に飼育することを含み、その間に少なくとも露光量と期間が調整される。飼育には、冬のライフサイクルステージ及び後続の夏のライフサイクルステージを含む少なくとも冬夏期が含まれる。冬のライフサイクルステージでは、種親が冬の光への露出をシミュレートする光に曝露され、その後の夏のライフサイクルステージで、種親が夏の光への露出をシミュレートする光に曝露される。ここで、冬夏の期間中の累積熱量単位（ＡＴＵ）の合計は５０００以下である。本発明は、開示されたプロセスによって生産されるサケの卵も提供する。【選択図】  なし【特許請求の範囲】
【請求項１】
魚の卵を収穫するためのプロセスであって、
−  少なくとも１つのＳａｌｍｏ  ｓａｌａｒ系統からの、性的に未成熟な魚を含む種親を提供すること；
−  それが成熟に進行するように、前記種親の寿命を維持するのに適した水性媒体を含む水生環境において種親を飼育することであって、ここで、前記飼育することはライフサイクルのステージで行われ、その間に、少なくとも各ライフサイクルステージの光曝露と期間が調整され、ここで、前記飼育することは、その期間内に前記種親は、冬の光曝露をシミュレートする光に曝露される、冬のライフサイクルステージと、その期間内に前記種親は、夏の光曝露をシミュレートする光に曝露される、後続の夏のライフサイクルステージと、を含む少なくとも冬夏期間を包含し、ここで、前記冬夏期間中の合計累積熱量単位（ＡＴＵ）は５０００以下である、飼育すること；
−  成熟した魚から卵を収穫すること；
を含むプロセス。
【請求項２】
前記冬夏期間中、前記夏のライフサイクルステージが前記冬のライフサイクルステージの直後に続く、請求項１に記載のプロセス。
【請求項３】
前記飼育することが、前記冬夏期間に先行する少なくとも１つのさらなる夏のライフサイクルステージを含む、請求項１〜２のいずれか一項に記載のプロセス。
【請求項４】
請求項１〜３のいずれか一項に記載のプロセスであって、ここで、前記飼育することが、前記少なくとも１つのさらなる夏のライフサイクルステージに先行する少なくとも１つのさらなる冬のライフサイクルステージを含み、且つここで、存在する場合、いずれの２つのそのようなさらなる冬ライフサイクルステージは、１つの夏のライフサイクルステージによって橋渡しされる、プロセス。
【請求項５】
前記冬夏期間の前に、前記種親の平均体重が魚あたり少なくとも５０ｇ、好ましくは魚あたり少なくとも１００ｇ、好ましくは魚あたり少なくとも２００ｇ、より好ましくは魚あたり少なくとも３００ｇ、より好ましくは魚あたり少なくとも５００ｇ、より好ましくは魚あたり少なくとも１０００ｇ、さらに好ましくは魚あたり少なくとも２０００ｇ魚、さらにより好ましくは魚あたり少なくとも３０００ｇ、さらにより好ましくは魚あたり少なくとも４０００ｇであるように、前記種親が成長することを許可されていた、請求項１〜４のいずれか一項に記載のプロセス。
【請求項６】
前記収穫することの前に、その間、魚が、魚が産卵するまで成熟するまで、成熟した魚が冬の光に曝露される保持ステージに維持される、請求項１〜５のいずれか一項に記載のプロセス。
【請求項７】
前記冬夏期間の前に、前記種親がスモルト化されている、請求項１〜６のいずれか一項に記載のプロセス。
【請求項８】
シミュレートされた夏の光への曝露及び／又はシミュレートされた冬の曝露が、夏及び／又は冬の間の周囲光条件をシミュレートすることを含む、請求項１〜７のいずれか一項に記載のプロセス。
【請求項９】
シミュレートされた夏の光への曝露が、各２４時間の期間において平均して少なくとも１２時間の光への曝露を含む、請求項１〜８のいずれか一項に記載のプロセス。
【請求項１０】
シミュレートされた冬の光への曝露が、各２４時間の期間において平均して１２時間未満である光への曝露を含む、請求項１〜９のいずれか一項に記載のプロセス。
【請求項１１】
各ライフサイクル期間内の光への曝露が連続的である、請求項１〜１０のいずれか一項に記載のプロセス。
【請求項１２】
光への曝露が、平均で少なくとも０．０１０Ｗ／ｍ２、より好ましくは少なくとも０．０１２Ｗ／ｍ２、少なくとも０．０１４Ｗ／ｍ２、又は少なくとも０．０１６Ｗ／ｍ２である可視範囲の自然光及び／又は人工光への水性媒体の曝露を構成する、請求項１〜１１のいずれか一項に記載のプロセス。
【請求項１３】
ライフサイクルステージ内で、明るい状態から暗い状態へ、又はその逆への光の条件間の切り替えが瞬時に実行される、請求項１〜１２のいずれか一項に記載のプロセス。
【請求項１４】
前記光の条件間の切り替えが徐々に行われる、請求項１〜１３のいずれか一項に記載のプロセス。
【請求項１５】
ライフサイクルステージ内の前記光の条件間の切り替えが、１日〜４週間の範囲内である期間にわたって行われる、請求項１〜１４のいずれか一項に記載のプロセス。
【請求項１６】
前記冬夏期間中の合計ＡＴＵが、約２，５００ＡＴＵ〜約４，９００ＡＴＵの範囲内、約２，５００ＡＴＵ〜約４，５００ＡＴＵの範囲内、約２，５００ＡＴＵ〜約４，０００ＡＴＵの範囲内、約２，５００〜約３，５００ＡＴＵの範囲内、約３，０００〜３，５００ＡＴＵの範囲内、又は約２，５００〜約３，１００ＡＴＵの範囲内である、請求項１〜１５のいずれか一項に記載のプロセス。
【請求項１７】
前記ライフサイクルステージのいずれかにおける水性媒体が、約０から約３５，０００ｐｐｍの範囲である、例えば、約１０，０００〜約３５，０００ｐｐｍの範囲である、例えば約２０，０００〜約３５，０００ｐｐｍの範囲である、塩分を有する、請求項１〜１６のいずれか一項に記載のプロセス。
【請求項１８】
前記ライフサイクルステージのいずれかにおける前記水性媒体が、約２４，０００〜約２８，０００ｐｐｍの範囲である塩分を有する、請求項１７に記載のプロセス。
【請求項１９】
水産養殖環境が再循環水産養殖システムを含む、請求項１〜１８のいずれか一項に記載のプロセス。
【請求項２０】
前記水産養殖環境が閉鎖式水産養殖システムを含む、請求項１〜１９のいずれか一項に記載のプロセス。
【請求項２１】
前記水産養殖環境が陸上設置である、請求項１〜２０のいずれか一項に記載のプロセス。
【請求項２２】
前記水産養殖環境が少なくとも１つのフロースルータンクを含む、請求項２１に記載のプロセス。
【請求項２３】
請求項２１〜２２のいずれか一項に記載のプロセスであって、ここで、前記陸上設置環境が２つ以上のタンクを含み、且つここで、魚は、第１のタンクとは異なる少なくとも１つの第２のタンクで冬夏期間を包含するさらなる飼育の前に、所定のサイズまで飼育される、プロセス。
【請求項２４】
水生環境が、少なくとも１つの海上設置ケージ又は海上設置タンクを含む、請求項１から２０のいずれか一項に記載のプロセス。
【請求項２５】
保持ステージが、３，０００ｐｐｍ未満の塩分を有する水媒体中で行われる、請求項６から２４のいずれか一項に記載のプロセス。
【請求項２６】
前記ライフサイクルステージのいずれかにおける水温が、約１℃〜約１８℃の範囲、好ましくは約３℃〜約１５℃の範囲で維持される、請求項１〜２５のいずれか一項に記載のプロセス。
【請求項２７】
前記冬夏期間中の水温が約８℃〜約１５℃の範囲である、請求項１〜２６のいずれか一項に記載のプロセス。
【請求項２８】
前記冬夏期間が約４０〜５０週間、約４０〜４７週間、又は約４２〜４７週間の範囲である、請求項１〜２７のいずれか一項に記載のプロセス。
【請求項２９】
前記冬夏期間の冬のライフサイクルが約１６〜５０週間の範囲、２０〜４０週間の範囲、約２５〜３５週間の範囲又は約２９〜３３週間である、請求項１〜２８のいずれか一項に記載のプロセス。
【請求項３０】
前記冬夏期間の夏のライフサイクルが、約６〜２０週間の範囲、約８〜２０週間の範囲、約８〜２０週間の範囲、約１０〜１８週間の範囲、約１２〜１６週間の範囲、約１３〜１５週間の範囲、又は約１４週間である、請求項１〜２９のいずれか一項に記載のプロセス。
【請求項３１】
前記保持ステージの期間が５週間から約３０週間の範囲である、請求項６〜３０のいずれか一項に記載のプロセス。
【請求項３２】
収穫された卵が少なくとも４０％の発眼ステージまでの生存率を有する、請求項１〜３１のいずれか一項に記載のプロセス。
【請求項３３】
収穫された卵が少なくとも５０％の発眼ステージまでの生存率を有する、請求項１〜３２のいずれか一項に記載のプロセス。
【請求項３４】
収穫された卵が少なくとも６０％の発眼ステージまでの生存率を有する、請求項１〜３３のいずれか一項に記載のプロセス。
【請求項３５】
収穫された卵が少なくとも７０％の発眼ステージまでの生存率を有する、請求項１〜３４のいずれか一項に記載のプロセス。
【請求項３６】
収穫された卵が少なくとも３ｍｍ、好ましくは少なくとも４ｍｍ、さらにより好ましくは少なくとも５ｍｍの平均直径を有する、請求項１〜３５のいずれか一項に記載のプロセス。
【請求項３７】
請求項１〜３６のいずれか一項に記載されているプロセスで生産されたＳａｌｍｏ  ｓａｌａｒからの卵。
【請求項３８】
請求項１〜３６のいずれか一項に記載されているＳａｌｍｏ  ｓａｌａｒを飼育するプロセス。
【発明の詳細な説明】
【技術分野】
【０００１】
フィールド
本発明は、成熟した魚から卵を生産する方法に関する。特に、本発明は、タイセイヨウサケ（Salmo  salar）から卵子(ova)を生産する方法に関する。
【背景技術】
【０００２】
前書き
タイセイヨウサケ（Salmo  salar）は、サルモノイド(Salmonoid)科の魚種である。種は、人間の導入の結果として、北大西洋、北大西洋に流れる川、及び北太平洋に見られる。
【０００３】
サケ(salmon)の自然なライフサイクルは、いくつかの段階を経て進行する。サケは最初、小さな半透明の卵の形で真水流又は川の底にある砂利の巣で生まれる。卵は魚卵(roe)とも呼ばれ、通常はピンク又は赤で、且つほぼ球形である。卵は、自然の生息地で2〜3か月の期間をかけて発達する。この期間中に、目や他の臓器が発達し、見え始める。
【０００４】
孵化(hatching)は、サケの子孫が卵から離れるが、卵黄を栄養源として保持するプロセスである。この時点で、サケはＡｌｅｖｉｎと呼ばれ、長さは約２〜３ｃｍである。Ａｌｅｖｉｎは砂利に隠されたままで、吸収されるまで卵黄から供給される。
【０００５】
サケは小さな稚魚(Fry)として巣を離れ、泳ぎ始めて餌を食べる。この時点で、彼らはまた川の下流に移動し始める。時が経てば、数カ月後、稚魚はパー（Parr）に成長する。それは、彼らの体に印が付いているのが特徴である。
【０００６】
パーは出生川で1年から8年もの幅広い時間を過ごす。自然なプロセスであるスモルト化(smoltification)により、魚のカモフラージュが変化し（色が銀色に変わる）、淡水と海水の浸透圧の違いに適応する。完全にスモルト化された魚は、スモルト(smolt)と呼ばれ、海に移動し、そこで彼らは海面の流れに従い、プランクトン又は稚魚(fry)を食べる。
【０００７】
成魚のサケは1〜4年間海で過ごす。ここで、このサケは、性的に成熟し、成長し、その独特のカモフラージュを発達させる。成熟するまでの時間の大きな自然変動は注目に値し、おそらく遺伝的要因と環境的要因の混合によるものと思われる。性的に成熟したサケはその後、産卵のためにその出生(native)の川に戻る。これは典型的には、秋から初冬に発生する。
【０００８】
一般に、成熟時の年齢は、最初の生殖の前に、フィットネスと死亡のリスクとの間のトレードオフを表している。したがって、一般的に大きな魚は連続繁殖に適しているが、高齢になると繁殖の成功に悪影響を与える可能性がある。
【０００９】
タイセイヨウサケの養殖は、成魚のサケを大規模に生産するために自然界で必要な条件をシミュレートすると同時に、成長期を加速して生産量を増やすことに基づいている。したがって、サケの卵は、オスのサケから集められた魚精(milt)を使用して受精され、孵化することができる。孵化後、得られた稚魚は成熟し、淡水タンクで成長する。ほとんどのサケ養殖場は、海でスモルト化サーモンを飼育している。したがって、スモルト化後、スモルトは通常、保護された湾又は海岸沿いのフィヨルドに固定された、浮いている海のケージ又は網の囲い(pens)に移される。
【００１０】
遺伝的要因と環境的要因の両方が、自然環境と人工（養殖）環境の両方で、サケの成熟過程に影響を与えることが知られている。特に、タイセイヨウサケ（Ｓａｌｍｏ  ｓａｌａｒ）では、水温と光の条件が成熟に影響を与える可能性があることが知られている。
【００１１】
Ｆｊｅｌｌｄａｌ  ｅｔ  ａｌ．  （Ａｑｕａｃｕｌｔｕｒｅ  ３２１  （２０１１），  ９３）は、温度上昇と連続光の組み合わせが、オスのタイセイヨウサケにおけるスモルト化の最中及び直後に成熟を引き起こす可能性があることを報告している。
【００１２】
別の研究では、Ｔａｒａｎｇｅｒ  ｅｔ  ａｌ．  （Ａｑｕａｃｕｌｔｕｒｅ  １６２  （１９９８），  ８５）海のケージで飼育された(rerared)大西洋サケの光条件が成熟時の年齢と排卵のタイミングに影響を与えることを報告している。排卵時間は、暦年前半の1日あたり最大24時間の光への曝露によって促進され、7月以降は日長が短くなることがわかった。対照的に、光への継続的な暴露は排卵時間を遅らせた。さらに、加速された日長は卵の生存率を低下させることがわかり、過度の光が配偶子の品質に有害な影響を与える可能性があることを示す。
【００１３】
Ｉｍｓｌａｎｄ  ｅｔ  ａｌ．  （Ａｑｕａｃｕｌｔ  Ｉｎｔ  ２２  （２０１４），  １３３１）は、スモルトの前後のオスのタイセイヨウサケの性成熟に対する2つの光周期、連続光と模擬自然光周期、の影響を調査した。連続光とかなり高い温度（１２．７℃）で長期間飼育すると、成長と成熟の割合が向上することがわかった。
【００１４】
サケの成長に対する温度の影響も調査されており、少なくともサケの成長中は、一般に温度の上昇に伴って直線的に成長が増加する（Ｂｒｅｔｔ，  ｉｎ  Ｆｉｓｈ  Ｐｈｙｓｉｏｌｏｇｙ  Ｖｏｌ．  ＶＩＩＩ，  ｐｐ  ５９９−６７５  （１９７９））。また、サケの成長は１４℃前後で最適であると報告されている。
【００１５】
サケの成熟に対する光周期と温度の影響は広範囲にわたって研究されてきたが、それらの相互作用は複雑であり、かなりよく理解されていないままである。より低い温度は、最初の海の冬(sea-winter)（スモルト化後）の成熟度の低下と相関し、それに伴って、グリルシング(grilsing)の割合が減少する（早期成熟）（Ｓａｕｎｄｅｒｓ  ｅｔ  ａｌ．，  Ａｑｕａｃｕｌｔ  ３３，  １０７−１１８（１９８３））。さらに、Ｆｊｅｌｌｄａｌ  ｅｔ  ａｌ．（Ａｑｕａｃｕｌｔｕｒｅ  ３２１，  ９３−１００  （２０１１））は、温度の上昇は、スモルト化後の成熟を引き起こすために重要であると示唆している。しかしながら、成熟に対するこれら及び他の要因の相互作用が複雑であることは明らかであり、したがってそれらの分離は非常に困難である。
【００１６】
さらに、成熟後の卵の発育に対する光周期、温度、又はその他の環境的及び遺伝的要因の、単独又は組み合わせによる影響はよくわかっていない。
【００１７】
タイセイヨウサケの繁殖は、サケの受精卵から始まり、幼魚(larval)の成長、養魚場、成魚の成長の段階を経て進行する。高品質の卵は、繁殖を成功させるための前提条件である。自然界では、孵化するまで生き残る卵のパーセンテージはごくわずかである。孵化場内の条件がよく管理されていると生存率が大幅に向上するが、高品質の卵、つまり生存能力の問題による損失を最小限に抑えて正常に成長する卵、に対する継続的な需要がある。そのうえさらに、通年の生産に対する市場の需要を満たすために、季節に関係なく、常に受精卵が求められている。通常の産卵(spawning)は非常に季節的であるため、高品質で生存可能な卵を一年中生産できる飼育プログラムが必要である。
【発明の概要】
【発明が解決しようとする課題】
【００１８】
説明
本発明の目的は、サケの卵の生産を改善する方法を提供することである。すべての季節にわたって継続的にサケの生存可能な卵を提供できるプロセスを提供することが、さらなる目的である。
【００１９】
本発明者らは、成熟したサケの特定の成長条件が最適なサケ卵生産をもたらし、高い生存能力を有する大きな卵をもたらすことを発見した。さらに、当該プロセスは、特定のパラメータ（水温、光周期など）を調整することにより、継続的にサケの卵を提供するように適合させることができる。
【課題を解決するための手段】
【００２０】
特に、本明細書では冬夏期間として定義される、冬の条件（優勢な暗闇）に続く夏の条件（優勢な光）の少なくとも１サイクルを包含するサケの飼育期間中の累積熱量単位(accumulated  thermal  unit)（ＡＴＵ）は、高品質のサケの卵（大きくて生存可能な卵）となるように特定の範囲内にある必要があることが発見された。
【００２１】
魚がさらされる光の量を調整することで、飼育中に夏及び／又は冬の条件をシミュレートすることができる。したがって、実用的には、シミュレートされた冬の条件（支配的な暗闇）に続いてシミュレートされた夏の条件（つまり、優勢な光を特徴とする、シミュレートされた夏の光への露出）を包含する、サケの飼育期間中、ＡＴＵは高品質のサーモンの卵（大きくて生存可能な卵）をもたらすために特定の範囲内にある必要がある。
【００２２】
現在の文脈において、累積熱量単位（ＡＴＵ）は、一定期間にわたる温度の累積効果を表すために使用される測定単位である。１つのＡＴＵは、１日（２４時間）について摂氏１度である。例示として、１０℃の一定の温度を持つ環境は、１日あたり１０ＡＴＵを蓄積し、且つ、１か月（３０日）の期間にわたって、前記環境は３００ＡＴＵを蓄積する。
【００２３】
前述に従って、一態様における本発明は、魚卵を収穫するためのプロセスを提供する。当該プロセスは、以下のステップ：
（ｉ）  少なくとも１つのＳａｌｍｏ  ｓａｌａｒ系統からの性的に未成熟な魚を含む種親を提供すること、
（ｉｉ）  成熟に進むように、前記種親の生命を維持するのに適した水性媒体を含む水生環境で前記種親を飼育することであって、ここで、前記飼育はライフサイクルの段階で行われ、その間に少なくとも各ライフサイクルの段階の露光量と期間が調整される、ここで、前記には、前記種親が冬の光への曝露をシミュレートする光にさらされる、冬のライフサイクルステージと、前記種親が夏の光への曝露をシミュレートする光にさらされる、後続の夏のライフサイクルステージとを含む、少なくとも冬夏期間を包含し、ここで、前記冬夏期間中の蓄積熱量単位（ＡＴＵ）は５０００以下であること；
（ｉｉｉ）  成熟した魚から卵を収穫すること；
を含む。
【００２４】
「水生環境」又は「水系環境」という用語は、水域の環境を表すものとして理解されるべきである。水生環境又は水系環境は、海洋環境にすることができ、又は淡水環境にすることができる。環境は、陸地に基づいている場合もあれば、又は外海や開放された（通常は淡水）湖などの開放された水域に基づいている場合もある。
【００２５】
本発明はさらに、卵、特に、本明細書に開示されているプロセスにより製造されたＳａｌｍｏ  ｓａｌａｒからの卵を提供する。
【００２６】
本発明はまた、Ｓａｌｍｏ  ｓａｌａｒを飼育するプロセス、特に以下の説明に記載されるプロセスを提供する。
【００２７】
前記冬夏期間は、好ましくは連続的であり、すなわち、この期間中、冬ライフサイクルステージの直後に続く夏ライフサイクルステージがある。
【００２８】
前記冬夏期間に先立って、追加のライフサイクルステージが存在する可能性があります。このようにして、種親は、少なくとも1つの夏の期間を包含する条件であって、その間、前記種親は、前記冬夏期間の前に、夏の光の露出をシミュレートする光にさらされる、条件下で飼育することができる。この先行する夏の期間は、１つ以上の冬の期間によって中断される可能性があり、前記１つ以上の負の期間の各々の間、前記種親は、冬の光への露出をシミュレートする条件下で飼育できる。
【００２９】
最適な産卵をもたらすために、種親は、好ましくは、合計ＡＴＵが５，０００ＡＴＵ以下である冬夏期間の開始前に、特定のサイズに達している。したがって、冬夏期間の前に、種親の平均体重が１匹（魚）あたり少なくとも５０ｇ、好ましくは魚あたり少なくとも１００ｇ、より好ましくは魚あたり少なくとも２００ｇ、より好ましくは少なくとも魚当たり３００ｇ、より好ましくは魚当たり少なくとも５００ｇ、より好ましくは魚当たり少なくとも１０００ｇ、より好ましくは魚当たり少なくとも２０００ｇ、さらにより好ましくは魚当たり少なくとも３０００ｇ、さらにより好ましくは魚当たり少なくとも４０００ｇになるように、親魚を成長させることができる。
【００３０】
前記冬夏期間に先立つ飼育中、種親はスモルト化することができる。したがって、冬夏期間に先行し、且つ、場合によって１つ以上の冬のライフサイクルによって中断される可能性のある、少なくとも１つの夏のライフサイクルを包含する、期間中、種親はスモルト化することができる。したがって、特定の実施形態において、合計ＡＴＵが５，０００ＡＴＵ以下である冬夏の期間のもとで飼育する前に、種親はスモルト化(smoltification)まで飼育される。スモルト化に続いて、種親が次の冬夏飼育に適したサイズに達するまで、種親を冬夏期間に先立つ夏の光サイクルの間に飼育することができる。
【００３１】
スモルト化は、種親が夏の光の状態を経験する約4週間の期間を包含する飼育期間を包含することができる。この期間の前に、種親は、２４サイクルごとに日光が約５０％の状態で４〜７週間飼育できる、つまり、２４時間ごとに１２時間の光に続いて１２時間の暗闇が続く。スモルト化を可能にする他の光の条件はまた、最適な卵を生産するために、種親の下流飼育と互換性がある。
【００３２】
冬夏期間の後、魚は冬の光条件又は冬の光曝露をシミュレートする光条件の下で飼育することができる。つまり、飼育には次の冬のライフサイクルが含まれます。このライフサイクル、いわゆる保持段階（holding  stage）の間、魚が産卵する(spawning)まで、魚は、冬の光への曝露、又はシミュレートされた冬の光への曝露の条件下で好ましくは維持される。魚が産卵したら、成熟した卵を魚から収穫できる。
【００３３】
別の態様における本発明は、少なくとも１つのＳａｌｍｏ  ｓａｌａｒ系統からのスモルト化した性的に未成熟な魚を含む種親を提供するという第１のステップを含む、魚卵の収穫するためのプロセスを提供する。続いて、成熟に進むように、種親の生命を維持するのに適した水性媒体を含む水生環境で種親を飼育することであって、ここで、前記飼育することはライフサイクルステージで行われ、且つ、ここで、少なくとも光曝露と各ライフサイクルステージの期間が調整され、そのため、
（ａ）  第１のライフサイクルステージにおいて、種親は夏の光への曝露をシミュレートする光周期に曝露されるため、前記ライフサイクルステージの最後に、種親の平均体重は少なくとも０．１ｋｇ、少なくとも０．２ｋｇ、少なくとも０．５ｋｇ、又は少なくとも１．０ｋｇである
（ｂ）  前記第１のライフサイクルに続き、且つ、少なくとも第２のライフサイクルステージであって、その期間内に種親が冬の光への曝露をシミュレートする光に曝露される、第２のライフサイクルステージ、及び後続の第３のライフサイクルステージであって、その期間内に種親が夏の光への曝露をシミュレートする光に曝露される、第３のライフサイクルステージを包含する期間（夏冬期間）において、合計累積熱量単位（ＡＴＵ）は５０００以下である；及び
（ｃ）  前のすべてのステージに続く保持ステージにおいて、種親は冬の光への露出をシミュレートする光周期に曝露され、且つ、種親が産卵するまで成熟するまで、これらの条件で維持される。最後に、卵は成熟した魚から収穫される。特定の実施形態において、冬夏飼育期間に入る魚は、１〜５歳、又は２〜５歳、又は３〜５歳のサケである可能性がある。つまり、サケは、冬夏期間の前に、１〜５年間、２〜５年間、又は３〜５年間に飼育されている。一実施形態では、サケは４歳のサケである。
【００３４】
一実施形態において、全体的なプロセスは、夏−冬−夏−冬のライフサイクル期間のシミュレートされた進行として簡略化された方法で表すことができ、ここで、各期間又は季節は、サケが野生で経験する条件を模倣する条件によって特徴付けられる（すなわち自然光の変化）。このシーケンスの最初の夏は、サケがその後の成熟と産卵のために最適なサイズに成長する、スモルト化後のライフサイクルステージになる可能性がある。それとは対照的に、最後の冬は、サケが保持パターンにあり、産卵するのを待って、出生河川の状態をシミュレートしている、保持ステージで表すことができる。
【００３５】
サケは季節ごとの光条件の変化を経験する。つまり、サケは光に敏感で、季節に応じて光に反応する。理論に拘束されるつもりはないが、サケの脳、特に血管嚢(saccus  vasculosus)、は季節的なセンサーであると考えられている（Ｎａｋａｎｅ  ｅｔ  ａｌ、Ｎａｔｕｒｅ  Ｃｏｍｍ  ２０１３，３：２１０８）。季節的なメカニズムには、外光の変化をホルモンの出力に変換し、それによって生理学的な変化をもたらすことができる光受容体とホルモン調節遺伝子が含まれていると考えられている。したがって、サケをさまざまな程度の光又は暗闇にさらすことにより、サケの季節的な生理的変化を引き起こすことができる。例えば、魚は、２４時間の期間ごとに平均して約１２時間以上の光を浴びることがある。対照的に、各２４時間の平均で約１２時間以下の露光は冬の期間として経験される。結果として、シミュレートされた夏のライフサイクルには、24時間の期間ごとに平均12時間以上の露光が含まれる可能性があり、シミュレートされた冬のライフサイクルには、24時間の期間ごとに平均12時間以下の露光が含まれる可能性がある。
【００３６】
したがって、本文脈における「冬」、又は「シミュレートされた冬」、又は「シミュレートされた冬の光暴露」は、光条件が特定の光暴露限界内にあるライフサイクルステージを表すと考えることができる。冬は、平均して、２４時間サイクルごとに、０〜約１２時間の露光、０〜約１０時間の露光、０〜約８時間、０〜約６時間の露光、０〜約５時間の露光、０〜約４時間の露光、０〜約３時間の露光、０〜約２時間の露光、０〜約１時間の露光、又は露光なしを包含することができる。好ましくは、冬は、２４時間サイクルごとに０〜８時間の露光を包含する。
【００３７】
本文脈における「夏」、又は「シミュレートされた夏」、又は「シミュレートされた夏の露光」は、対照的に、２４時間サイクルごとに、平均して、少なくとも８時間、少なくとも１０時間、少なくとも１２時間、少なくとも１４時間、少なくとも１６時間、少なくとも１８時間、少なくとも２０時間、少なくとも２２時間、又は２４時間すべての露光を包含し得る。好ましくは、夏期の間、２４時間サイクルごとに約２０から約２４時間、又は約２２時間、又は約２３時間、又は約２４時間、露光がある。
【００３８】
明らかに、光の露出は自然では徐々に変化する。したがって、夏のライフサイクルと冬のライフサイクルは、自然で発生する光の変化をシミュレートする光の段階的な変化によって特徴付けることができる。したがって、特定の実施形態では、夏のライフサイクルへの移行は、冬の光の露出から夏の光の条件に光の状態が徐々に変化することを許可されている状態を含むことができる。つまり、冬の光の露出をシミュレートする条件から、夏の露光をシミュレートするまで、光の露出に徐々に変化が生じる可能性がある。したがって、このような期間中は、各２４時間サイクルの間に光の露出が徐々に変化する可能性があるため、魚は最初に冬の光の露出として経験する光の状態を経験し、そして、その後の期間にわたって、24時間サイクルごとに光の量が変化するため、魚はゆっくりと夏の光条件として経験する光条件にさらされます。同様に、冬のライフサイクルは、夏の光の露出から夏の光の条件に光の条件を徐々に変更できる条件を含むことができる。つまり、夏の光の露出をシミュレートする条件から冬をシミュレートする条件まで、光の露出が徐々に変化する可能性がある。魚が冬及び／又は夏の光条件として経験する光条件に達すると、それらは、魚が単一の季節（冬又は夏）を表すと感じる光条件を経験するように、所望の期間維持することができる。
【００３９】
サケが対応する季節、すなわち冬又は夏を経験する限り、夏又は冬の光曝露をシミュレートする光条件は、周囲光条件への部分的又は完全な曝露を含む期間の形で提供できることが理解されよう。これは、例えば、飼育が開放型タンク又は開放型ケージで行われる場合に行うことができる。したがって、シミュレートされた夏の光条件は、夏の間又は夏の一部（例えば、約５月から８月までの期間の一部又は全部の間）の周囲光への露出の形で提供することができる。同様に、冬の光をシミュレートする光条件は、例えば、約10月から3月までの期間の一部又はすべての間に周囲光にさらすことによって、周囲の冬の暗闇の形で提供できる。明らかに、そのような冬の露出は北半球の北部と南半球の南部で当然より顕著である。
【００４０】
しかしながら、実際には、人工的な照明条件を突然変更すること、すなわち、移行期間のない冬から夏の条件又はその逆に変更すること、すなわち、照明条件の即時の変更により、便利であるかもしれない。あるいは、光条件の変化は、数日から数ヶ月の範囲であり得る特定の期間にわたって行われ得る。例えば、光の状態の変化は、野生で経験される非常に緩やかな変化を模倣することができる。あるいは、光条件の変化は、数日から数週間又はそれ以上の期間にわたって行うことができる。例えば、光条件の変化は、約１週間から約４週間の期間内に行うことができる。あるいは、光条件の変化は、約1日〜約7日の期間内に行うことができる。
【００４１】
典型的には、光はオン又はオフに切り替えることができる、特定の期間、継続的に光にさらされ（例えば、24時間の期間ごとに16時間の光）、その後、特定の期間、暗闇（光なし）が続くが、それ以外の場合は、「暗い」期間中に光が短時間照射されることがある。例えば、魚に餌をやる必要がある場合、又は魚飼育プラント内の状態を検査する必要がある場合は、短時間、典型的には数分間ライトをオンにして、その間に給餌、メンテナンスな又は他の作業を行うことができる。このような短時間の露光の後、ライトをオフにして、魚が引き続き「暗い」フェーズを経験できるようにすることができる。したがって、そうでなければ暗いフェーズでのそのような中断は、魚がその期間を経験する方法、すなわち暗闇の期間として影響を与えない。
【発明の効果】
【００４２】
本発明の利点は、各ライフサイクル段階の条件（特に光と温度）と時間を具体的に制御した結果である。そして特に（ｉ）最初の夏の期間に続く魚のサイズ/重量を制御すること、及び（ｉｉ）それに続く冬夏の期間中のATUを最適な範囲内に保つことにより、魚が性的成熟に到達するための最適な条件がもたらされ、その後、高品質で生存能力のある卵が生産及び成熟する。
【００４３】
本発明による方法で使用するためのスモルト化した(smoltified)魚は、従来の方法で製造することができる。これには、Ｓａｌｍｏ  ｓａｌａｒのいずれの特定の株を使用して、スモルト化ステージを通じて稚魚(Fry)及びパー（Parr）をインキュベートする、孵化する(hatching)、及び飼育する従来の方法が含まれる。当該プロセスは、単一株の培養又は混合培養、つまりＳａｌｍｏ  ｓａｌａｒの２つ以上の株を包含する培養に適用できる。本発明に従って処理されている各バッチにおいて、Ｓａｌｍｏ  ｓａｌａｒの単一株から卵を収穫することが好ましい場合がある。換言すれば、ファーミング(farming)及び収穫プロセスの間、異なる株を別々に（例えば、別々のタンク又はケージに）保つことが好ましい場合がある。したがって、当該プロセスは、Ｓａｌｍｏ  ｓａｌａｒの単一株からの種親を提供することによって好ましく適用され得る。
【００４４】
スモルト化した種親は、夏の光への曝露をシミュレートする条件下で、前記種親が適切なサイズに達するまで飼育することができる。これは、特定の実施形態では、５００ｇから６０００ｇ、例えば１０００ｇから５０００ｇ、２０００ｇから５０００ｇ、又は３０００ｇから４０００ｇの範囲にすることができる。続いて、スモルト化したもの(smoltified)は、本明細書に記載されるように少なくとも冬夏期間飼育されて、成熟及びその後の産卵（spawning）に進むことができる。
【００４５】
屠殺時期までに、人間が消費するために飼育されているサケは、通常２〜８ｋｇの体重に達している。本発明の方法で使用されるサケ、すなわち冬−夏の期間中に飼育されるサケは、したがって、従来のサケファーミング中に使用されるのと同様又は同じ条件を使用して飼育されたサケであり得る。
【００４６】
本発明者らは、一定の重量に達したサケは、高品質で生存可能な卵を生産する可能性が高いことを発見した。したがって、産卵(egg  production)に使用されるサケは、スモルト後の夏期の終わり（スモルト化に続く優勢な光条件）に、約１〜１０ｋｇ、約２〜１０ｋｇ、約２〜８ｋｇ、約２〜６ｋｇ、約１〜５ｋｇ、約２〜５ｋｇ、約３〜５ｋｇ、又は約４ｋｇ、より好ましくは約４ｋｇの重さがある可能性がある。したがって、冬−夏の期間に先行する本発明によるプロセスの第１のライフサイクル段階（シミュレートされた夏の期間）は、人間の消費のための飼育中に使用されるであろう夏の期間よりも長くなり得るため、魚が下流の光サイクル期間（冬の夏の期間、その後の保持ステージの期間）に適切なサイズに到達できるようにする。
【００４７】
水生環境は、開放型水産養殖システム又は閉鎖型水産養殖システムであるか、又はそれを含むことができる。システムは海上設置(sea)でも、陸上設置でもかまわない。システムは、部分的に海上にあり、部分的に陸上にあることもできる。例えば、システムは、海上にあり、且つ飼育期間の1つ以上に使用される1つ以上のタンクを含むことができ、システムはさらに、海で行われる飼育期間とは異なる、飼育期間の1つ以上で使用される土地にある1つ以上のタンクを含むことができる。水生環境には、1つ以上のオープン養殖システムを含めることができる。オープン養殖システムは、典型的には、自然の水路内に提供されているエンクロージャである。一般的なオープン養殖システムには、フローティングメッシュケージなどの海のケージが含まれる。ケージは海底に固定できる(anchored)。水産養殖システムはまた、閉鎖型の海上タンク又はケージを含むことができる。
【００４８】
一実施形態において、サケは、周囲光条件と人工光条件の組み合わせを使用して飼育される。例えば、サーモンを周囲光の中で特定のサイズまで飼育し、その後、シミュレートした季節条件（夏及び/又は冬）を使用して飼育することができる。
【００４９】
そのような一実施形態において、サケは、少なくとも１つの冬を含むタイマー（timer）期間にわたって、海上設置のタンク又はケージ内の周囲条件で飼育される。例えば、サケ、冬を含めて、約9〜15ヶ月間、又は約１２ヶ月間飼育することができる。サケが特定のサイズ、例えば約４〜８ｋｇに達すると、シミュレートされた夏の光条件にさらされる。この夏の飼育ステップは、海上設置のケージ又はタンクで実行できるか、又は、閉鎖された陸上設置のタンクで実行できる。その後、産卵しそして卵が収穫できるようになるまで、サケを冬の光にさらすことができる。
【００５０】
そのような一実施形態において、サケは、海上設置のケージ又は陸地の閉鎖された水槽のいずれかで、人工的な夏の条件にさらされる（例えば、1日22時間、サケを光にさらすことによって）。最後に、夏の条件に約3か月さらされた後、光の条件とは、冬をシミュレートするための変化であり、好ましくは閉鎖タンク（地上配置(land-based)又は海中のいずれか）で行う。この段階で、サケは産卵に進み、その時点で卵を収穫できる。
【００５１】
上記から、冬夏期間は、冬条件をシミュレートする部分的に周囲の条件及び夏光条件をシミュレートする部分的に人工的な光条件を使用して実行できることは明らかであるはずである。
【００５２】
別の方法として、システムはセミクローズド水産養殖システムにすることができる。このようなシステムは通常、陸上設置(land-based)であり、ファームと自然の水路との間で水交換が行われる。したがって、廃水はケージ及び／又は池から水路に放出することができ、補充は周囲の水路からの真水を使用して行う。
【００５３】
より好ましくは、水産養殖システムは閉鎖型水産養殖システムであり得る。そのようなシステムは、タンク内、池のレースウェイ内などの陸上設置(land-based)であり得る。好ましくは、閉鎖型水産養殖システムは、陸上設置のタンクを１つ又は複数含むタンクベースシステムである。
【００５４】
タンクは、陸上設置の栽培漁業(fish  farming)で使用されている、又は使用可能な従来のタンクのいずれでもかまいわない。タンクは、例えば、概して丸い形状であり得、そしていずれの都合のよいサイズであり得る。代わりに、タンクはＤエンドの細長いタンクにすることも、タンクを長方形にすることもできる（「レースウェイ」タンクと呼ばれることもある）。タンクは、丸底であることが好ましく、底が平ら又は傾斜していることが好ましく、総容積が１０〜３０００ｍ３、１０〜１０００ｍ３、より好ましくは１００〜５００ｍ３、より好ましくは１００〜４００ｍ３、より好ましくは１００〜３００ｍ３である。
【００５５】
陸上設置システムの利点は、廃水の厳格な管理により、周囲の水路からの干渉がほとんど又はまったくないことである。その結果、システムから魚が逃げるリスクはほとんどない。これは、オープンシステムの大きな懸念事項である。
【００５６】
したがって、現在の文脈では、閉じた水産養殖システムは、養殖（魚）と周囲の環境との間に制御されたインターフェースを作成する魚生産システムである。一般に、水域にあるか陸域にあるかにかかわらず、閉鎖型水産養殖システムは、：
飼料、糞便、化学廃棄物による水質汚染を排除又は大幅に削減することができる；
飼育からの逃亡を排除することができる；
養殖魚及び網との相互作用による海洋哺乳類の死を排除することができる；
野生のサケへの病気や寄生虫の移動のリスクを排除又は大幅に減らすことができる；及び
魚を飼育する際の抗生物質や化学処理の必要性を大幅に減らすことができる。
【００５７】
水産養殖システムは、再循環水産養殖システム（ＲＡＳ）であることができる。ＲＡＳは一連の培養タンクとフィルターであり、ここで、水は継続的にリサイクルされ、且つ年間を通じて最適な状態を維持するために監視される。水質の悪化を防ぐため、粒子状物質の除去により機械的に、及び有害な蓄積化学物質を無毒な化学物質に変換することにより生物学的に処理される。
【００５８】
あるいは、水産養殖システムは、タンクを通る水性媒体の連続的な流れを伴う連続的なフローシステムであり得る。連続フローシステムはフロースルーシステムとすることができ、ここで、タンクを通る水の連続フローが存在する。つまり、タンクには、真水(fresh  water)を受け入れるための少なくとも1つの水入口と、そこを通じてタンクから水が放出される少なくとも1つの水出口が含まれる。
【００５９】
紫外線滅菌、オゾン処理、及び酸素注入などの他の処理もまた、最適な水質を維持するために使用される。このシステムにより、逃げた魚、水の使用、汚染物質の導入などを含めた、水産養殖の環境上の欠点の多くが最小限に抑えられる。また、最適な水質を提供することにより、この慣行により、飼料使用効率の向上も促進された。
【００６０】
ライフサイクルステージは、サケが野生で経験するであろう季節変動を表すと考えることができる。したがって、最初のライフサイクルステージは夏のステージを表し、最初のライフサイクルステージに続く期間は冬のステージを表し、その後に夏のステージが続くと考えることができる。最後に、最後の（保持）ステージは冬のステージと見なすことができる。
【００６１】
サケにおいては、他の魚と同様に、メラトニンのリズムは、スモルト化及び生殖などの多くの生理学的プロセスの時間的調整を少なくとも部分的に制御すると考えられている。サケは光に敏感で、知覚の光強度しきい値は０．０１２〜０．０１６Ｗ／ｍ２と低いと考えられている（ＬｅＣｌｅｒｑｃ  ｅｔ  ａｌ．  Ａｑｕａｃｕｌｔ  Ｅｎｇ．  ４４，  ３５−４７  （２０１１），  Ｍｉｇａｕｄ  ｅｔ  ａｌ．  Ｊ．  Ｐｉｎｅａｌ  Ｒｅｓ  ４１：４２−５２  （２００６））。対照的に、太陽が天頂にあるときの地表での直射日光の光強度は、約１０３０Ｗ／ｍ２である。ただし、日光の光強度には極端な日変化があり、且つ地理的変化が大きいため、地球表面の平均放射は約３４０Ｗ／ｍ２であり、北ヨーロッパ（イングランド）のの大日射量の季節変動は、１２月の約２００〜６月の約９００Ｗ／ｍ２の範囲である。
【００６２】
季節変動は明らかに、毎日の日光の時間の減少による光の強度の減少と太陽の位置による放射の減少との組み合わせである。サケのような動物はこれらの変化を感知する必要がある。サーモンは非常に敏感な季節センサーを発達させた。その結果、「日」とは何かに対する認識は、一般的な人間が認識するものとは大きく異なる。現在の文脈で「日」から「夜」に切り替えるには、低い光レベルが必要であり、その結果、「夏」の期間は、各２４時間サイクル内のかなり低い光強度によって特徴付けることができる。対照的に、サケが真の「冬」のような状態を体験するには、状態を非常に暗く保つ必要がある。
【００６３】
したがって、現在の文脈での冬と夏のシミュレートされた光の状態は、サケが冬又は夏であると知覚する状態を表す。これは主に光の状態によって決まる。「シミュレートされた夏の光の露出」及び「シミュレートされた冬の光の露出」という用語は、サケが夏又は冬の条件であると認識する光露出のシミュレーションを指すことを意図している。したがって、この用語は、対応する季節の周囲の光条件、すなわち周囲の夏又は周囲の冬の条件への露出を包含することができる。飼育は、いずれの特定の季節について、対応する周囲光条件、シミュレートされた光条件、又はその両方への曝露、つまり１つ以上の周囲光曝露期間と１つ以上の前後のシミュレートされた光条件期間、を包含することができる。
【００６４】
したがって、本明細書で定義される露光は、サケによって知覚されることができる強度を有する光である。したがって、露光は、サケが経験する光強度が少なくとも約０．０１０Ｗ／ｍ２、少なくとも約０．０１２Ｗ／ｍ２、少なくとも約０．０１４Ｗ／ｍ２、少なくとも約０．０１６Ｗ／ｍ２、少なくとも約０．０１８Ｗ／ｍ２又は少なくとも約０．０２０Ｗ／ｍ２であることを意味し得る。
【００６５】
対照的に、暗闇（例えば、光の不在）は、タイセイヨウサケの知覚レベルを下回る光レベルである可能性がある。したがって、暗闇は、サーモンが経験する、約０．０１６Ｗ／ｍ２未満、約０．０１４Ｗ／ｍ２未満、約０．０１２Ｗ／ｍ２未満、約０．０１０Ｗ／ｍ２未満、又は約０．００８Ｗ／ｍ２  であることを意味し得る。
【００６６】
一般に、光は、可視範囲の波長を含む自然光及び／又は人工光である。
光は、可視範囲内の特定の波長を含むことができる。言い換えれば、光は、可視領域内の１つ以上の範囲の波長を含むことができる。
【００６７】
特定の実施形態では、サケが経験する光曝露は、２４時間サイクルごとの平均光曝露である。これは、例えば、０．０２０Ｗ／ｍ２の１２時間の露光に続いて完全に暗くなると、平均露光量が０．０１０Ｗ／ｍ２になることを意味する。
【００６８】
光強度は、水媒体（例えば、水タンク）の上面で決定された強度の平均であり得る。あるいは、光の強度は、水媒体（水タンク）の底部で測定された強度の平均とすることもできる。あるいは、光強度は、水媒体の上面及び／又は底部における、水中での測定を包含する、水媒体内で測定された平均であってもよい。
【００６９】
野生のサケの最適な温度は、約１２℃から１５℃の範囲にあると一般に考えられている。魚は少なくとも短期間に２０℃などの高温に耐えることができるが、他の要因により高温での死亡率が増加する。これらには、繁殖力(fecundity)の低下、卵の生存率の低下、稚魚（ｆｒｙ）とスモルトの成長の遅延、飼育密度の低下、病気への感受性の増加、若いサケとマスが他の種と食物について競争し、捕食を避ける能力の低下が含まれる。また、特に成魚の場合、サケが生育できる温度には下限がある。卵、アルビン(alevin)、初期の稚魚は０℃近くの水温に耐えることができる。
【００７０】
本発明者らは、温度と時間の組み合わせが、卵の発育、生存能力及び安定性にとって重要な要素であることを発見した。したがって、本明細書で提供される例示的な実施例によって示されるように、シミュレートされた夏の間のスモルトの成熟に続くことができる冬と夏を組み合わせた期間中の累積熱量単位（ＡＴＵ）が上限値を超えると、卵の生存率と安定性が急速に劣化する。したがって、期間のＡＴＵは、好ましくは約５，０００単位未満、より好ましくは約４，８００単位未満、より好ましくは約４，６００単位未満、より好ましくは約４，４００単位未満、より好ましくは約４，２００単位未満である。さらにより好ましくは、期間のＡＴＵは約４，１００単位未満である。
【００７１】
特定の実施形態では、冬夏期間中の総ＡＴＵは、約２，０００〜５，０００ＡＴＵの範囲、例えば、約２，０００〜４，５００ＡＴＵの範囲内など、約２，０００〜４，０００ＡＴＵの範囲内など、約２，５００〜３，５００ＡＴＵの範囲内など、約３，０００〜３，５００ＡＴＵの範囲内など約２，５００から３，１００ＡＴＵの範囲などでaある。
【００７２】
卵が特定のサイズに到達したことを確保し、且つ生存率を確保するために、期間中のＡＴＵは、好ましくは少なくとも２，０００ユニット、より好ましくは少なくとも２，１００ユニット、より好ましくは少なくとも２，２００ユニット、より好ましくは少なくとも２，３００ユニット、より好ましくは少なくとも２，４００単位、さらにより好ましくは少なくとも２，５００単位である。
【００７３】
したがって、最初のライフサイクル期間に続く期間内のＡＴＵ範囲は、約２，０００〜５，０００ユニットの範囲、約２，１００〜４，８００ユニットの範囲、約２，２００〜４，６００ユニットの範囲、約２，３００〜４，５００ユニットの範囲、約２，４００〜４，３００ユニットの範囲、約２，５００〜４，２００ユニットの範囲、約２，５００〜４，２００ユニットの範囲、約２，０００〜４，５００ユニットの範囲、約２，０００〜４，０００ユニットの範囲、約２，５００〜３，５００ユニットの範囲、約３，０００〜３，５００ユニットの範囲、約２，５００〜３，１００ユニットの範囲であり得る。
【００７４】
冬夏期間の冬のライフサイクルコンポーネントは、約１，６００〜３，５００ユニットの総ＡＴＵ、例えば約１，８００〜３，２００ユニット、例えば約２，０００〜３，０００ユニット、例えば約２，０００〜２，８００ユニット、例えば約２，０００〜２，４００ユニットなど、例えば２，０００〜２，６００ユニットを含むことができる。
【００７５】
冬は、８〜５０週間、１０〜５０週間、１５〜５０週間、例えば１６〜５０週間など、例えば１８〜４５週間など、例えば２０〜４０週間、例えば２５〜３５週間など、例えば２８〜３４週間、例えば３０〜３２週間など時間の範囲で変動する。
【００７６】
冬夏期間の夏のライフサイクルコンポーネントは、約４００〜１，５００ユニット、例えば約５００〜１，３００ユニット、例えば約６００〜１，２００ユニット、例えば約７００〜１，１００ユニット、例えば約８００〜１，０００ユニット、の合計ＡＴＵを含むことができる。
【００７７】
冬−夏期の夏のライフサイクルは、一般に、約６〜２０週間の範囲、約８〜２０週間の範囲、約１０〜１８週間の範囲、約１２〜１６週間の範囲、約１３〜１５週間の範囲、又は約１４週間であり得る。
【００７８】
スモルト化プロセスは、サケが海水によって引き起こされる浸透圧と戦うためのメカニズムを発達させる。海水中の平均塩分（全溶解塩）は約３５，０００ｐｐｍ（３．５％又は３５ｇ／Ｌに相当）であるが、魚の血漿の塩分は約１０，０００ｐｐｍである。したがって、サケは約２５，０００ｐｐｍの勾配と戦う。
【００７９】
本発明による媒体の塩分は、一般に、０〜３５，０００ｐｐｍの範囲であり得る、すなわち、媒体は、海水、淡水(fresh  water)（非塩水）、又は淡水と海水との間にある塩分を有する水を表し得る。例えば、約０〜３０，０００ｐｐｍ、約０〜２８，０００ｐｐｍ、又は０〜２６，０００ｐｐｍなど、より低い塩分を維持することが好ましい場合がある。いくつかの実施形態において、塩分は、ライフサイクルステージのいずれかにおいて約１０，０００ｐｐｍから約３５，０００ｐｐｍ、約２０，０００ｐｐｍから約３５，０００ｐｐｍ、約２０，０００ｐｐｍから約３０，０００ｐｐｍ、例えば約２２，０００ｐｐｍから約２８，０００ｐｐｍ、約２４，０００ｐｐｍから約２８，０００ｐｐｍ、２４，０００ｐｐｍから約２６，０００ｐｐｍの範囲、又は約２６，０００ｐｐｍである。冬から夏の期間は、いずれの塩分の水性環境で運ばれることができる。いくつかの実施形態では、塩分は、約２６，０００ｐｐｍ〜約３５，０００ｐｐｍの範囲である。
【００８０】
ライフサイクルステージの１つ以上は、塩分が低い水中で実行できる。そのような水は、一般に、５，０００ｐｐｍ未満、より好ましくは３，０００ｐｐｍ未満、より好ましくは２，０００ｐｐｍ未満、さらにより好ましくは１，０００ｐｐｍ未満の塩分を有する。保持段階中の水媒体が低塩分であることが特に好ましい場合がある。
【００８１】
プロセス中のサケの飼養密度(stocking  density)（媒体中の単位体積あたりのサケの量）は好ましくは、１０〜１００ｋｇ／ｍ３、１０〜５０ｋｇ／ｍ３、１０〜３５ｋｇ／ｍ３、又は１０〜３０ｋｇ／ｍ３、１５〜３０ｋｇ／ｍ３、２０〜３０ｋｇ／ｍ３、２５〜３０ｋｇ／ｍ３の範囲内、又は約１５ｋｇ／ｍ３、約２０ｋｇ／ｍ３、約２５ｋｇ／ｍ３又は約３０ｋｇ／ｍ３であり得る。飼養密度は、３０ｋｇ／ｍ３未満、２５ｋｇ／ｍ３未満、２０ｋｇ／ｍ３未満、又は１５ｋｇ／ｍ３未満であることが好ましい場合がある。
【００８２】
サケには、魚粉や魚油でできたペレットなど、飼育中に通常の飼料を与えることができる。飼料は、好ましくは、野菜ミール、野菜抽出物（穀物、豆、大豆など）、ビタミン、ミネラル塩、及びアスタキサンチンなどの追加の成分を包含することができる。
【００８３】
本発明による方法により得られる卵は、サイズが大きく、生存能力が高いという利点を有する。平均して卵は、直径が少なくとも３ｍｍ、より好ましくは直径が少なくとも４ｍｍ、さらにより好ましくは直径が少なくとも５ｍｍ又は少なくとも５．５ｍｍであり得る。卵は平均して直径が３〜１０ｍｍ、好ましくは直径が約３〜９ｍｍ、より好ましくは約４〜８ｍｍ又は約５〜７ｍｍ又は約５．５〜６．５ｍｍの範囲であり得る。
【００８４】
卵のサイズは、時々、卵が占める体積あたりの卵の数から推定されることがある。したがって、１リットルの容量に６，０００個の卵がある場合、平均卵サイズは約５．８ｍｍである。卵のサイズは、体積あたりの卵の数に反比例する。したがって、本発明に従って生産される卵は、好ましくは、１リットルの体積あたり２，０００〜１０，０００個の卵の範囲、例えば１リットルの体積あたり３，０００〜１０，０００個の卵の範囲など、１リットルの体積あたり４，０００から８，０００個の卵の範囲内など、１リットルの体積あたり４，０００から８，０００個の卵の範囲内など、１リットルの体積あたり５，０００から８，０００個の卵の範囲内など、１リットルの体積あたり５，５００から７，０００個の卵の範囲内など、平均サイズを有することができる。
【００８５】
卵の生存率は、特定の発達段階に達する卵のパーセンテージとして決定することができる。例えば、生存率は孵化した胚に成長する卵のパーセンテージとして測定することができる。あるいは、生存率は、発育の可視眼段階に到達する卵のパーセンテージとして測定することもできる。この段階は、卵膜を通して黒目(dark  eyes)が見える段階である（野生では平均２０〜５０日後に発生する）。
【００８６】
本発明のプロセスにより得られる卵は、正常に発達する可能性が高く、健康な胚をもたらす。したがって、目視可能な目の段階（「発眼卵(eyed  eggs)」）の生存率は、少なくとも約４０％、少なくとも約５０％、少なくとも約６０％、少なくとも約７０％、又は少なくとも約８０％であり得る。発眼段階の生存率はまた、約４０％〜約９０％、約４０％〜約８０％、約５０％〜約８０％、約６０％〜約８０％、又は約７０％〜約８０％の範囲であり得る。
【００８７】
本発明に従って収穫される卵は、好ましくは、発眼の段階まで少なくとも４０％の生存率を有する。しかしながら、好ましくは、卵は発眼の段階までより高い生存率、例えば少なくとも５０％、少なくとも６０％、少なくとも７０％又は少なくとも８０％の生存率を有する。卵は、約４０％〜約９０％、例えば約５０％〜約８０％、又は約６０％〜約８０％の範囲の生存率を有することができる。
【００８８】
さらに、当該プロセスでは、季節に関係なく卵の生産が可能である。温度と光サイクルを同時に制御することにより、産卵魚が一年中利用できるように調整することができ、同時に、スモルト化後の最初のライフサイクルの終わりにサケの臨界重量の基準を観察することができる（最初の夏）、及びＡＴＵを次の期間、少なくとも１つの冬期間とそれに続く夏期間を含めて、最適な産卵をもたらす範囲内に維持する。
【００８９】
例えば、成長率を増減するために、ライフサイクルステージのいずれか１つ内の温度を調整することができる。しかしながら、好ましくは、いずれのライフサイクルステージにおける温度は、タイセイヨウサケの最適成長温度である約１５℃以下である。ただし、一般的に、いずれのライフサイクル期間内の温度は、約２℃〜１８℃の範囲、約１℃〜１５℃の範囲、約３℃〜１５℃の範囲、約５℃〜１４℃の範囲、約６℃〜１４℃の範囲、約７℃〜１４℃の範囲、約８℃〜１４℃の範囲、約８℃〜１２℃の範囲、約９℃〜１１℃の範囲であり得る。
【００９０】
異なるライフサイクルの温度は同じでも、異なっていてもかまいません。成熟したサケが産卵を待っている保持段階の温度を、以前のライフサイクルステージよりも低く保つことが望ましい場合がある。したがって、保持段階の温度は、約１℃〜８℃、２℃〜８℃、３℃〜８℃、例えば約４℃〜６℃の範囲、又は約５℃になるように選択することができる。
【００９１】
最初の夏期に続く冬夏期の単一ラウンドに成熟しない魚（例えば、最初のライフサイクルに続く冬夏期間内に成熟しない魚）は、冬夏の第２のラウンド、つまり冬夏期間の第２のラウンド、に付される可能性がある。この目的のために、成熟していないサケは、冬夏期間に続く保持段階から取り除かれ、冬夏の第２のラウンドが行われるタンクに戻される。
【００９２】
したがって、本発明のプロセスは、保持段ステージの時点で成熟していないサケを冬−夏期間の第２のラウンドに供するさらなるステップをほうがんすることができる。このような期間の第２のラウンドに付された後、サケは産卵のための保持ステージに移動される。
【００９３】
このような冬夏期間の第２のラウンド後に成熟していないサケは、廃棄されるか、又は人間の消費などの他の用途に使用できる。
【００９４】
図面の簡単な説明
当業者は、以下に記載される図面が例示目的のみであることを理解するであろう。図面は、決して本教示の範囲を限定することを意図していない。
【図面の簡単な説明】
【００９５】
【図１】図１は、本明細書に記載されるサケの飼育中の累積熱量単位（ＡＴＵ）の関数としての平均魚卵サイズ(roe  size)（直径）の変化を示す。
【図２】図２は、本明細書に記載されるサケ飼育中の累積熱単位（ＡＴＵ）の関数としての平均魚卵死亡率(roe  mortality)（発眼段階）の変化を示す。
【図３】図３は、Ｓａｌｍｏ  ｓａｌａｒのさまざまなグループの冬夏期の冬のライフサイクルにおけるＡＴＵの関数としての卵の死亡率(egg  mortality)を示す。
【図４】図４は、Ｓａｌｍｏ  ｓａｌａｒのさまざまなグループの冬夏期間中の総ＡＴＵの関数としての卵の死亡率(egg  mortality)を示す。
【図５】図５は、Ｓａｌｍｏ  ｓａｌａｒのさまざまなグループの冬夏期の冬のライフサイクルにおけるＡＴＵの関数としての卵の死亡率(egg  mortality)を示す。
【図６】図６は、Ｓａｌｍｏ  ｓａｌａｒのさまざまなグループの冬夏期間の夏のライフサイクル中のＡＴＵの関数としての卵の死亡率(egg  mortality)を示す。
【図７】図７は、Ｓａｌｍｏ  ｓａｌａｒの異なるグループの冬夏期間中の総ＡＴＵの関数としての卵の死亡率(egg  mortality)を示す。
【図８】図８は、Ｓａｌｍｏ  ｓａｌａｒのさまざまなグループの冬夏期間中の平均卵サイズ(egg  size)（単位、卵の個数／Ｌ  体積）を示す。
【発明を実施するための形態】
【００９６】
上記の特徴は、本発明の追加の詳細とともに、以下の実施例でさらに説明され、これは、本発明をさらに例示することを意図するが、決してその範囲を限定することを意図しない。
【００９７】
以下において、本発明の例示的な実施形態が、図面を参照して説明される。これらの実施例は、その範囲を限定することなく、本発明のさらなる理解を提供するために提供される。
【００９８】
以下の説明では、一連のステップについて説明する。当業者は、状況によって要求されない限り、ステップの順序は、結果として生じる構成及びその効果にとって重要ではないことを理解するであろう。さらに、ステップの順序に関係なく、ステップ間の時間遅延の有無が、説明されたステップの一部又はすべての間に存在できることは、当業者には明らかであろう。
【００９９】
本発明は、タイセイヨウサケから魚卵(fish  eggs)を生産及び収穫するための改善されたプロセスに関する。このプロセスは、ファーミングプロセスの特定のパラメータの最適化、特に、成体サケが曝される累積温度単位（ＡＴＵ）の飼育中の冬夏の期間は、最適な産卵と品質のために特定の範囲内にある必要があるという発見に基づいている。
【０１００】
冬から夏にかける期間の間、卵巣で卵子が発生するため、この成熟期の状態は、健康で生存可能な卵を生産するために重要である。サケの成長と発達が長すぎる場合（夏の延長期間後の冬／夏のシミュレーション中のＡＴＵが一定の制限を超えている場合）、卵は生存できない。したがって、以下の実施例で例示するように、ＡＴＵを使用すると卵の品質が特定のポイントまで向上する一方で、ＡＴＵが非常に高いと卵の品質（サイズ、死亡率）が劣化することがわかった。
【０１０１】
実施例
以下の非限定的な実験例は、本発明の特定の利点を示す発見を説明している。
【０１０２】
スモルト化した(smoltified)タイセイヨウサケは、夏の条件下で飼育され（屋内の蛍光灯によって提供された光への露出、典型的には２４時間サイクルごとに２２時間）、及び続いて平均重量約４ｋｇにおいて、３００ｍ３タンクに移動された。飼育水槽は陸上設置で(land-based)ハウスの中にあり、日光がハウスに侵入する可能性はなかった。移入後、魚は上記のように光周期(photoperiod)、塩分及び温度で冬期に置かれた。典型的には、冬の期間の光曝露は各２４時間サイクルで約８時間であり、水温は１０〜１２℃の範囲であり、塩分は海水に近いか、それよりわずかに低い（典型的には、約２６〜３５ｇ／Ｌ以内）。冬の期間、魚は満足のいく餌を与えられた。魚の一部が性的に成熟した冬の期間が終了したときに、夏の始まりをタンク／ハウスで所定の光の期間に設定した（２４時間サイクルごとに典型的には２２時間の光への露出）、温度（約１０〜１２℃）及び上記の塩分。夏の期間の完了時に、冬の開始を上記のように光周期、温度、及び塩分を設定して、各雌から成熟卵が除去（収穫）されるまで産卵のプロセスを終了させた。
【実施例】
【０１０３】
実施例１
Ｓａｌｍｏ  Ｓａｌａｒの株は、アイスランドのコラフィヨルズゥル(Kollafjordur)にある閉鎖された淡水タンクで飼育されていた。
【０１０４】
スモルト化に続いて、スモルトは続いてＫａｌｍａｎｓｔｊｏｒｎとＶｏｇａｖｉｋ（アイスランド）の２つの場所で飼育された。飼育は、周辺エリアからの水を利用し、陸上設置循環タンクで行った。
【０１０５】
各グループには、最初に平均で約２０００のスモルト化した魚が含まれ、２つのタンクで飼育され、結果は各グループの平均として示されている。
【０１０６】
飼育中、スモルト化した後の最初のシミュレートされた冬の期間中のパラメータ（温度と時間）を変化させ、卵が収穫されるまで、後続のシミュレートされた夏と冬のその他の条件を比較的一定に保った。
【０１０７】
表１  サケ飼育バッチのまとめ
【表１】
2021503967.tif 000002
【０１０８】
結果を表1にまとめる。わかるように、ATUが非常に高い場合、卵の死亡率(roe  mortality)はかなり急激に増加し、これは、これは、ATUの増加に伴う明らかな卵子サイズの増加を打ち消す。
【０１０９】
実施例2
魚卵の品質に対するＡＴＵの影響をさらに調査するために、数年の期間に渡って得られた合計６２グループのＳａｌｍｏ  Ｓａｌａｒの飼育の結果を分析した。グループは、上記の条件で飼育された。単位体積あたりの卵数（Ｌ）の測定に基づいて、魚卵が均一なサイズの球形であると仮定して、魚卵の平均直径を計算した。
【０１１０】
図１からわかるように、平均の魚卵サイズと、約４０００ＡＴＵまでのＡＴＵとの間には、明確かつ強い相関がある。ただし、図２に示すように、このＡＴＵの範囲では平均の魚卵死亡率はわずかに増加している。
【０１１１】
ただし、ＡＴＵが非常に高い場合、魚卵の平均サイズは横ばいになる(levels  off)。同時に、魚卵の死亡率が上昇し、高品質の魚卵を取得するためのＡＴＵに上限があることを示している。
【０１１２】
これらの実験は、高品質の魚卵の品質（サイズ）と低死亡率とを組み合わせた最適な魚卵の収穫のために、ＡＴＵを特定の範囲内に維持する必要があることを示している。魚卵の品質は非常に高いＡＴＵで急激に劣化するため、非常に高いＡＴＵを避けることが特に重要である。
【０１１３】
実施例3
アイスランドの2つのステーション（ＫａｌｍａｎｓｔｊｏｒｎとＶｏｇａｖｉｋ）で飼育された合計46グループのサケの卵サイズと死亡率を分析した（合計324バッチ）。
【０１１４】
飼育条件は実施例１に記載されたとおりであった。サケはスモルト化し、そして引きつづき、冬夏期間の開始前に、シミュレートされた夏条件下（２４時間ごとに平均約２２時間の光曝露）で、、魚あたり平均サイズ約４ｋｇまで飼育した。その間、平均露光量はそれぞれ約8時間（冬）と22時間（夏）であった。
【０１１５】
死亡率は発眼ステージで評価された（卵のATUのインキュベーション期間での平均）。卵のサイズは、容量1リットルあたりの卵の総数として決定された。
【０１１６】
合計２３８×１０６個の卵が分析された。データはＲＳｔｕｄｉｏプログラムを使用して分析された。分散の正規性と均一性は、Ｓｈａｐｉｒｏ−Ｗｉｌｋ検定で決定された（Ｐ＞０，０５）。データの正規分布を受け入れた後、一元配置分散分析(one-way  ANOVA)を使用して、さまざまなＵＴＡでのグループの死亡率の違いの有意性をテストした。Ｔｕｋｅｙテストは、すべての事後(post-hoc)比較に使用された。相関は、３次多項式回帰（線形回帰）によって分析された。結果のデータを図５〜８に示す。
【０１１７】
結果
図３には、冬夏の冬のライフサイクルにおけるＡＴＵの関数としての死亡率が示されている。死亡率は約１，８００と２，２００ＡＴＵとの間で明らかに低下しており、それを下回り、且つそれを上回ると死亡率が上昇する。これは、冬夏の期間中の総ＡＴＵ効果に対する冬のライフサイクルの重要な貢献を示唆している。
【０１１８】
図４は、冬と夏の合計期間の死亡率を示している。死亡率は約２，５００ＡＴＵと３，１００ＡＴＵとの間で減少しており、死亡率の増加はこの範囲の上下で見られる。
【０１１９】
図５〜７では、データは非線形回帰分析の結果とともに表示され、灰色の領域は９５％の信頼区間を示している。図５のデータは、冬夏の冬のライフサイクルのＡＴＵが増加し、特に約２，６００ＡＴＵを超えると、死亡率が明らかに増加することを示している。夏のライフサイクル中のＡＴＵ効果（図６を参照）はそれほど劇的ではなく、主な効果は約８００ＡＴＵ未満のＡＴＵで観察される。全体的な影響を図７に示す。これは、死亡率の着実な増加、特に約３，５００ＡＴＵを超え、特に死亡率が約４，０００ＡＴＵを超えて劇的に増加することを示す。
【０１２０】
卵のサイズに対する対応する効果を図８に示す。ここで、卵のサイズは、容量１Ｌあたりの卵の数として示される。予想通り、飼育時間（ＡＴＵの増加）に伴って平均卵サイズは増加するが、上限までである。したがって、効果は約４，０００ＡＴＵで横ばいになり、この制限を超えて増加又は減少することもない。これは卵の生存率がますます低下していることを示している。
【０１２１】
これらの結果は、最適な品質（サイズと死亡率）でサケの卵が生産される、サケの飼育の冬夏期のＡＴＵ範囲があることを明確に示す。
【０１２２】
実施形態
本発明の特定の実施形態は、以下の項(clauses)に記載されている。
１．  魚の卵(fish  eggs)を収穫するためのプロセスであって、
−  少なくとも１つのＳａｌｍｏ  ｓａｌａｒ系統からの、スモルト化した性的に未成熟な魚を含む種親を提供すること；
−  それが成熟に進行するように、前記種親の寿命を維持するのに適した水性媒体を含む水生環境において種親を飼育することであって、ここで、前記飼育することはライフサイクルのステージで行われ、且つここで、少なくとも各ライフサイクルステージの光曝露(the  light  exposure)と期間が調整されるため、
〇  第１のライフサイクルステージにおいて、前記種親は夏の光の露出をシミュレートする光サイクルに曝露されるため、前記ライフサイクルステージの終わりに、前記種親の平均体重は少なくとも１ｋｇである；
〇  前記第１のライフサイクルに続く、且つ、その期間内に前記種親が冬の光への曝露をシミュレートする光に曝露される、少なくとも第2のライフサイクルステージ及び、その期間内に前記種親が夏の光への曝露をシミュレートする光に曝露される、後続の第３のライフサイクルステージの段階、を包含する期間において、合計累積熱量単位（ＡＴＵ）は５０００以下である；
〇  前のすべてのステージに続く保持ステージにおいて、前記種親は冬の光への露出をシミュレートするフォトサイクルに曝露され、且つ前記種親が成熟して産卵するまでこれらの条件で維持される、
種親を飼育すること；及び
−  成熟した魚から卵を収穫すること；
を含むプロセス。
２．  前項１に記載のプロセスであって、ここで、前記第２のライフサイクルステージの前の前記種親が約２ｋｇ以上、好ましくは約３ｋｇ以上、さらにより好ましくは約４ｋｇ以上の重量に達している、プロセス。
３．  項１又は項２に記載のプロセスであって、前記第２のライフサイクルステージの前に、前記種親が約４ｋｇの重量に達している、プロセス。
4.  シミュレートされた夏の光条件が、24時間期間ごとに少なくとも12時間、光に曝露されることを含む、項1〜3のいずれか一項に記載のプロセス。
5.  シミュレートされた冬の光条件が、24時間期間ごとに12時間未満の光に曝露されることを含む、前項１〜４のいずれか一項に記載のプロセス。
６．  前記第１のライフサイクルに続く期間の合計ＡＴＵが、約２，５００ＡＴＵ〜約４，９００ＡＴＵの範囲、より好ましくは約２，５００ＡＴＵ〜約４，８００ＡＴＵ、さらにより好ましくは約２，８００ＡＴＵ〜約４，６００ＡＴＵの範囲である、項１〜５のいずれか１つに記載のプロセス。
７．  前記ライフサイクルステージのいずれかにおける水性媒体が、約０から約３５，０００ｐｐｍの範囲である、例えば、約１０，０００〜約３５，０００ｐｐｍの範囲である、例えば約２０，０００〜約３５，０００ｐｐｍの範囲である、塩分を有する、前項１〜６のいずれか一項に記載のプロセス。
８．  前記ライフサイクルステージのいずれかにおける前記水性媒体が、約２４，０００〜約２８，０００ｐｐｍの範囲である塩分を有する、前項７に記載のプロセス。
９．  水産養殖環境が再循環水産養殖システムを含む、前項１〜８のいずれか一項に記載のプロセス。
１０．  前記水産養殖環境が閉鎖式水産養殖システムを含む、前項１〜９のいずれか一項に記載のプロセス。
１１．  前記水産養殖環境が陸上設置(land  based)である、前項１〜１０のいずれか一項に記載のプロセス。
１２．  前記水産養殖環境が少なくとも１つのフロースルータンクを含む、前項１１に記載のプロセス。
１３．  ここで、前記陸上設置環境が２つ以上のタンクを含み、且つここで、前記第１のライフサイクルステージを超えて成熟する魚が、第１のタンクとは異なる少なくとも第２のタンクにおいてさらに成熟する、前述の２つの項１１〜１２のいずれか一項に記載プロセス。
１４．  前記第１のライフサイクルステージ、少なくとも第２及び第３のライフサイクルステージを包含する期間、ならびに保持ステージが、それぞれ別個のタンクで実行される、前述の２つの項１２〜１３のいずれか一項に記載のプロセス。
１５．  前記保持ステージが、３，０００ｐｐｍ未満の塩分を有する水媒体中で行われる、前項１〜１４のいずれか一項に記載のプロセス。
１６．  前記閉鎖環境が少なくとも１つの海上設置(sea-based)ケージを含む、前述の項１〜１５のいずれか一項に記載のプロセス。
１７．  前記ライフサイクルステージのいずれかにおける水温が、約２〜約１８℃の範囲、好ましくは約３℃〜約１５℃の範囲で維持される、前述の項１〜１６のいずれか一項に記載のプロセス。
１８．  前記第１のステージの期間が少なくとも８週間である、前項１〜１７のいずれか一項に記載のプロセス。
１９．  前記第２のステージの期間が少なくとも５週間である、前項１〜１８のいずれか一項に記載のプロセス。
２０．  前記第３のステージの期間が少なくとも２週間である、前項１〜１９のいずれか一項に記載のプロセス。
２１．  前記第２のステージと第３のステージとを組み合わせた期間が少なくとも７週間である、前項１〜２０のいずれか一項に記載のプロセス。
２２．  前記保持ステージの期間が５週間から約３０週間の範囲である、前項１〜２１のいずれか一項に記載のプロセス。
２３．  各光サイクル期間内の光への露出が連続的である、前述の項１〜２２のいずれか一項に記載のプロセス。
２４．  シミュレートされた夏の光曝露中の光曝露が、平均して少なくとも０．０１０Ｗ／ｍ２、より好ましくは少なくとも０．０１２Ｗ／ｍ２、少なくとも０．０１４Ｗ／ｍ２、又は少なくとも０．０１６Ｗ／ｍ２である可視範囲の自然光及び／又は人工光への水性媒体の曝露を構成する、前項１〜２３のいずれか一項に記載のプロセス。
２５．  シミュレートされた冬の光曝露中の光曝露が、平均して、０．０１０Ｗ／ｍ２未満、好ましくは０．００５Ｗ／ｍ２未満、０．００４Ｗ／ｍ２未満、０．００３Ｗ／ｍ２未満、０．００２Ｗ／ｍ２未満、又は０．００１Ｗ／ｍ２未満である可視範囲の自然光及び／又は人工光への水性媒体の曝露を構成する、前項１〜２４のいずれか一項に記載のプロセス。
２６．  異なるステージの光条件間の切り替えが瞬時に実行される、前項１〜２５のいずれか一項に記載のプロセス。
２７．  異なるスイッチの光条件間の切り替えが徐々に実行される、前項１〜２４のいずれか一項に記載のプロセス。
２８．  光条件間の切り替えが１日〜４週間の期間にわたって行われる、前項２７のいずれか一項に記載のプロセス。
２９．  収穫された卵が少なくとも４０％の発眼ステージまでの生存率を有する、前述の項１〜２８のいずれか一項に記載のプロセス。
３０．  収穫された卵が少なくとも５０％の発眼ステージまでの生存率を有する、前項１〜２９のいずれか一項に記載のプロセス。
３１．  収穫された卵が少なくとも６０％の発眼ステージまでの生存率を有する、前項１〜３０のいずれか一項に記載のプロセス。
３２．  収穫された卵が少なくとも７０％の発眼ステージまでの生存率を有する、前述の項１〜３１のいずれか一項に記載のプロセス。
３３．  収穫された卵が少なくとも３ｍｍ、好ましくは少なくとも４ｍｍ、さらにより好ましくは少なくとも５ｍｍの平均直径を有する、前述の項１〜３２のいずれか一項に記載のプロセス。
３４．  前述の項１〜３３のいずれか一項に記載されているプロセスで生産されたＳａｌｍｏ  ｓａｌａｒからの卵。
【０１２３】
特許請求の範囲を包含する本明細書で使用されるように、文脈が他に示さない限り、単数形の用語は複数形も含むと解釈されるべきであり、逆もまた同様である。したがって、本明細書で使用される場合、単数形「ａ」、「ａｎ」、及び「ｔｈｅ」は、文脈が明らかに他のことを指示しない限り、複数の参照を包含することに留意されたい。
【０１２４】
説明及び特許請求の範囲を通して、「comprise」、「including」、「having」、及び「contain」という用語及びそれらの変形は、「包含するが限定されない」という意味として理解されるべきであり、他の構成要素を除外することを意図しない。
【０１２５】
本発明はまた、これらの用語、特徴、値、及び範囲などが、約、概して、一般に、実質的に、本質的に、少なくともなどの用語と共に使用される場合、正確な用語、特徴、値、及び範囲なども網羅する。  （すなわち、「約３」は正確に３をカバーするか、又は「実質的に一定」は正確に一定をカバーするものとする）。
【０１２６】
「少なくとも１つ」という用語は、「１つ以上の」を意味すると理解されるべきであり、したがって、１つ又は複数の構成要素を含む両方の実施形態を包含する。さらに、「少なくとも１つ」で特徴を説明する独立請求項を参照する従属請求項は、特徴が「the」及び「the  at  least  one」と呼ばれる場合の両方で同じ意味を有する。
【０１２７】
本発明の前述の実施形態に対する変更が、本発明の範囲内にありながら行われ得るが、本発明の範囲内にありながら行われ得ることが理解される。本明細書に開示された特徴は、特に明記しない限り、同じ、同等の、又は同様の目的を果たす代替の特徴によって置き換えることができる。したがって、特に明記しない限り、開示された各特徴は、一連の同等又は類似の特徴の一般的なシリーズの一例を表す。
【０１２８】
「for  instance」、「such  as」、「for  example」などの例示的な言語の使用は、単に本発明をよりよく説明することを意図しており、そのようにクレームされない限り本発明の範囲に対する限定を示すものではない。明細書に記載されているステップは、文脈から明らかにそうでない場合を除いて、いずれの順序で、又は同時に実行できる。
【０１２９】
本明細書に開示される特徴及び／又はステップのすべては、特徴及び／又はステップの少なくとも一部が相互に排他的である組み合わせを除いて、いずれの組み合わせで組み合わせることができる。特に、本発明の好ましい特徴は、本発明のすべての態様に適用可能であり、いずれの組み合わせで使用することができる。
【図１】
2021503967.tif 000003
【図２】
2021503967.tif 000004
【図３】
2021503967.tif 000005
【図４】
2021503967.tif 000006
【図５】
2021503967.tif 000007
【図６】
2021503967.tif 000008
【図７】
2021503967.tif 000009
【図８】
2021503967.tif 000010
【国際調査報告】
2021503967.tif 000011
2021503967.tif 000012
2021503967.tif 000013